(57)【特許請求の範囲】
【請求項１】
同幅一対のパネルをその隣接する縦框を相互にヒンジ連結して伸張折畳み自在としたシャッター単位を形成し、該シャッター単位の非連結側の各縦框をそれぞれ開口枠の上下枠間に上吊支持して各シャッター単位の単独開閉を自在とした横引きシャッターにおいて、全部又は一部のシャッター単位の上記上吊支持側一方の縦框の室内側見付面に突出配置した押圧突起と、上吊支持側他方の縦框に内蔵して、該縦框の透孔を介してその室内側見付面に突出配置した作動突起に対する上記押圧突起の水平方向の押圧とその解除によって該上吊支持側他方の縦框を下枠にロックする昇降ロッドを垂直方向に昇降自在とした昇降機構と、該昇降機構内蔵の縦框の室内側見付面に、上記押圧突起による作動突起の押圧状態を維持するように該押圧突起を該室内側見付面に保持する押圧保持部材を備えてなることを特徴とする横引きシャッターのロック装置。
【請求項２】
同幅多数のパネルの隣接する縦框を順次ヒンジ連結して折畳み自在としたシャッター本体を形成し、該シャッター本体の幅方向端部及びこれから一つ置きの縦框をそれぞれ開口枠の上下枠間に上吊支持してシャッター本体の蛇腹状開閉を自在とした横引きシャッターにおいて、シャッター本体の全部又は一部の隣接するパネルの上記上吊支持側一方の縦框の室内側見付面に突出配置した押圧突起と、シャッター本体の折畳みによって対面する同じく上吊支持側他方の縦框に内蔵して該縦框の透孔を介してその室内側見付面に突出配置した作動突起に対する上記押圧突起の水平方向の押圧とその解除によって該上吊支持側他方の縦框を下枠にロックする昇降ロッドを垂直方向に昇降自在とした昇降機構と、該昇降機構内蔵の縦框の室内側見付面に、上記押圧突起による作動突起の押圧状態を維持するように該押圧突起を該室内側見付面に保持する押圧保持部材を備えてなることを特徴とする横引きシャッターのロック装置。
【請求項３】
上記昇降機構を、先端に上記作動突起を屈曲して有する傾斜回動用の作動アームと、該作動アームの後端に回動自在に連結して該作動アームの傾斜回動によって昇降自在に配置してその幅方向一端にロッドホルダーを備えた垂直可動部材と、その上記ロッドホルダーに下向きに配置した単一又は複数分割の昇降ロッドを備えて形成してなることを特徴とする請求項１又２に記載の横引きシャッターのロック装置。
【請求項４】
上記昇降機構が、室内側見付面の透孔近傍位置から縦框内側下方に向けた傾斜ガイドを備えた上位の回動用収納部及びその下位の縦框上下方向に向けた垂直ガイドを備えた下位の垂直昇降用収容部とを具備した縦框内定位置配置のガイドケースを備え、作動アームに室内側見付面直交方向に突出したガイド突起を上記傾斜ガイドによって案内することにより上記上位の回動用収容部に該作動アームを傾斜回動自在に収容し且つ上記垂直可動部材の同じく室内側見付面直交方向に突出したガイド突起又はガイド突条を上記垂直ガイドによって案内することによって上記垂直昇降用収容部に該垂直可動部材を収容してなることを特徴とする請求項３に記載の横引きシャッターのロック装置。
【請求項５】
上記ガイドケースにおける垂直昇降用収容部に対する垂直可動部材の収容を、該垂直可動部材を上方に向けて付勢して行ってなることを特徴とする請求項４に記載の横引きシャッターのロック装置。
【請求項６】
上記垂直可動部材におけるロッドホルダーに対する上記昇降ロッドの保持を、該昇降ロッドを下方に向けて付勢して行ってなることを特徴とする請求項１、２、３、４又は５に記載の横引シャッターのロック装置。
【発明の詳細な説明】
【技術分野】
【０００１】
本発明は、建物開口部や構築物開口部に開閉自在に設置する横引きシャッターに関し、特にそのロック装置に関する。
【背景技術】
【０００２】
本発明者らは、例えば同幅一対のパネルをその隣接する縦框を相互にヒンジ連結して伸張折畳み自在としたシャッター単位（シャッターユニット、扉ユニット等といってもよい）の非連結側の各縦框をそれぞれ開口枠の上下枠間に上吊支持して各シャッター単位の単独開閉を自在とし、また同幅多数のパネルの隣接する縦框を順次ヒンジ連結して折畳み自在としたシャッター本体の幅方向端部及びこれから一つ置きの縦框をそれぞれ開口枠の上下枠間に上吊支持してシャッター本体の蛇腹状開閉を自在とした横引きシャッターに用いて、そのシャッター単位や隣接するパネルを折畳み状態で下枠に対してロックし得るように、シャッター単位又は隣接するパネルの上吊支持した上吊支持側一方の縦框の室内側見付面に突出配置した押圧部材、例えば倒Ｕ字状乃至Ｖ字状を呈するプレート状の押圧突片と、シャッター単位の上吊支持側他方の縦框又はシャッター本体の折畳によって対面する上吊支持側他方の縦框の室内側見付面に透設したスリット状の受入開口と、該上吊支持側他方の縦框に内蔵して受入れ開口奥に位置して上記受入開口からの進入と退出によって作動して下枠近傍の下端に配置した下枠対接部を垂直方向昇降自在とした昇降機構を備えたロック装置を提案済みである。
【０００３】
【特許文献１】特願２００７−２９２２７２号
【発明の開示】
【発明が解決しようとする課題】
【０００４】
この場合、例えば人の出入りや通風のために、開口枠幅方向に単独開閉したシャッター単位やシャッター本体の蛇腹状開閉した隣接するパネルを下枠にロックして、その安定した折畳み状態を確保するともに風圧等による揺動を防止することが可能となり、例えばサンルームに使用して人の出入りや通風に好適なものとすることができる。
【０００５】
しかし、この場合、一方の縦框の室内側見付面に突出配置した昇降機構作動用の押圧部材である押圧突片が、他方の縦框の室内側見付面の受入開口に進入して、その縦框に内蔵した昇降機構に至ってこれを作動するものとしたことによって、押圧部材としての押圧突片の突出寸法が比較的大きくなる可能性があるところ、該押圧突片は、室内側見付面に配置した室内側に向けて突出したものとなるから、該押圧突片が横引きシャッターの内観、即ち室内側の外観を損なう可能性が残り、また押圧突片の突出長さや形状によっては、人の衣類に引っ掛ったり、幼児の顔に当ったりする危険を招く可能性も残る。
【０００６】
本発明はかかる事情に鑑みてなされたもので、その解決課題とするところは、昇降機構を作動する縦框一方の押圧部材の縦框から室内側への突出幅を可及的に小さくすることによって良好な内観を確保するとともに該押圧部材が突出することによる危険の可能性を可及的に解消して、折畳んだシャッター単位又はシャッター本体の隣接するパネルを下枠に対してロックし得るようにした横引きシャッターのロック装置を提供するにある。
【課題を解決するための手段】
【０００７】
上記課題に沿って請求項１に記載の発明は、一方の縦框の室内側見付面に押圧部材としての押圧突起を、他方の縦框の同じく室内側見付面に、該他方の縦框に内蔵した昇降機構を作動する被押圧部材としての作動突起をそれぞれ突出配置し、該押圧突起によって作動突起を押圧し、またその押圧を解除することによって昇降機構を作動させて該昇降機構を内蔵した縦框を下枠にロックする昇降ロッドを昇降するようにして、昇降機構を作動する縦框一方の押圧部材の縦框から室内側への突出幅を可及的に小さくして、そのロックを行うとともに上記昇降機構の作動による昇降ロッドのロックを、押圧突起を配置した縦框と該昇降機構を内蔵した縦框とを一体化して、シャッター単位を単一パネルとする如くに行うことによって、その伸張や揺動を防止して上記ロックを安定且つ確実に行うものとして、上記単独開閉を自在としたシャッター単位を用いた横引シャッターに適用したものとするように、これを、同幅一対のパネルをその隣接する縦框を相互にヒンジ連結して伸張折畳み自在としたシャッター単位を形成し、該シャッター単位の非連結側の各縦框をそれぞれ開口枠の上下枠間に上吊支持して各シャッター単位の単独開閉を自在とした横引きシャッターにおいて、全部又は一部のシャッター単位の上記上吊支持側一方の縦框の室内側見付面に突出配置した押圧突起と、上吊支持側他方の縦框に内蔵して、該縦框の透孔を介してその室内側見付面に突出配置した作動突起に対する上記押圧突起の水平方向の押圧とその解除によって該上吊支持側他方の縦框を下枠にロックする昇降ロッドを垂直方向に昇降自在とした昇降機構と、該昇降機構内蔵の縦框の室内側見付面に、上記押圧突起による作動突起の押圧状態を維持するように該押圧突起を該室内側見付面に保持する押圧保持部材を備えてなることを特徴とする横引きシャッターのロック装置としたものである。
【０００８】
また請求項２に記載の発明は、上記ロック装置を、蛇腹状開閉を自在としたシャッター本体を用いた横引シャッターに適用して、同様のロックを可能としたものとするとともに上記昇降機構の作動による昇降ロッドのロックを、押圧突起を配置した縦框と該昇降機構を内蔵した縦框とを一体化して、隣接するパネルを単一パネルとする如くに行うことによって、同じく、その伸張や揺動を防止して上記ロックを安定且つ確実に行うものとするように、これを、同幅多数のパネルの隣接する縦框を順次ヒンジ連結して折畳み自在としたシャッター本体を形成し、該シャッター本体の幅方向端部及びこれから一つ置きの縦框をそれぞれ開口枠の上下枠間に上吊支持してシャッター本体の蛇腹状開閉を自在とした横引きシャッターにおいて、シャッター本体の全部又は一部の隣接するパネルの上記上吊支持側一方の縦框の室内側見付面に突出配置した押圧突起と、シャッター本体の折畳みによって対面する同じく上吊支持側他方の縦框に内蔵して該縦框の透孔を介してその室内側見付面に突出配置した作動突起に対する上記押圧突起の水平方向の押圧とその解除によって該上吊支持側他方の縦框を下枠にロックする昇降ロッドを垂直方向に昇降自在とした昇降機構と、該昇降機構内蔵の縦框の室内側見付面に、上記押圧突起による作動突起の押圧状態を維持するように該押圧突起を該室内側見付面に保持する押圧保持部材を備えてなることを特徴とする横引きシャッターのロック装置としたものである。
【０００９】
請求項３に記載の発明は、上記に加えて、上記押圧突起による水平方向の押圧動作を昇降ロッドの昇降動作に変換する昇降機構を可及的簡易な構造にして確実な作動を行うものとするように、これを、上記昇降機構を、先端に上記作動突起を屈曲して有する傾斜回動用の作動アームと、該作動アームの後端に回動自在に連結して該作動アームの傾斜回動によって昇降自在に配置してその幅方向一端にロッドホルダーを備えた垂直可動部材と、その上記ロッドホルダーに下向きに配置した単一又は複数分割の昇降ロッドを備えて形成してなることを特徴とする請求項１又は２に記載の横引きシャッターのロック装置としたものである。
【００１０】
請求項４に記載の発明は、同じく上記に加えて、昇降機構の縦框への内蔵を、定位置配置のガイドケースを用いて行うとともに該ガイドケースにおいて上記作動アームの傾斜回動と上記垂直可動部材の垂直昇降を行うことによって、該昇降機構の安定且つ確実な作動を確保したものとするように、これを、上記昇降機構が、室内側見付面の透孔近傍位置から縦框内側下方に向けた傾斜ガイドを備えた上位の回動用収納部及びその下位の縦框上下方向に向けた垂直ガイドを備えた下位の垂直昇降用収容部とを具備した縦框内定位置配置のガイドケースを備え、作動アームに室内側見付面直交方向に突出したガイド突起を上記傾斜ガイドによって案内することにより上記上位の回動用収容部に該作動アームを傾斜回動自在に収容し且つ上記垂直可動部材の同じく室内側見付面直交方向に突出したガイド突起又はガイド突条を上記垂直ガイドによって案内することによって上記垂直昇降用収容部に該垂直可動部材を収容してなることを特徴とする請求項３に記載の横引きシャッターのロック装置としたものである。
【００１１】
請求項５に記載の発明は、同じく上記に加えて、押圧突起による押圧によって作動突起が昇降機構を作動し且つ押圧の解除によって該作動突起が定位置に復帰したものとするよう、これを、上記ガイドケースにおける垂直昇降用収容部に対する垂直可動部材の収容を、該垂直可動部材を上方に向けて付勢して行ってなることを特徴とする請求項４に記載の横引きシャッターのロック装置としたものである。
【００１２】
請求項６に記載の発明は、押圧突起の押圧による昇降ロッドの降下に際して、その下枠への対接を緩衝するとともに常に確実な対接を行うものとするように、これを、上記垂直可動部材におけるロッドホルダーに対する上記昇降ロッドの保持を、該昇降ロッドを下方に向けて付勢して行ってなることを特徴とする請求項１、２、３、４又は５に記載の横引シャッターのロック装置としたものである。
【００１３】
本発明はこれらをそれぞれ発明の要旨として上記課題解決の手段としたものである。
【発明の効果】
【００１４】
本発明は以上のとおりに構成したから、請求項１に記載の発明は、一方の縦框の室内側見付面に押圧部材としての押圧突起を、他方の縦框の同じく室内側見付面に、該他方の縦框に内蔵した昇降機構を作動する被押圧部材としての作動突起をそれぞれ突出配置し、該押圧突起によって作動突起を押圧し、またその押圧を解除することによって昇降機構を作動させて該昇降機構を内蔵した縦框を下枠にロックする昇降ロッドを昇降するようにして、昇降機構を作動する縦框一方の押圧部材の縦框から室内側への突出幅を可及的に小さくすることによって良好な内観を確保するとともに該押圧部材が突出することによる危険の可能性を可及的に解消して、折畳んだシャッター単位を下枠にロックし得るようにするとともに上記昇降機構の作動による昇降ロッドのロックを、押圧突起を配置した縦框と該昇降機構を内蔵した縦框とを一体化して、シャッター単位を単一パネルとする如くに行うことによって、その伸張や揺動を防止して上記ロックを安定且つ確実に行うものとして、上記単独開閉を自在としたシャッター単位を用いた横引シャッターのロック装置を提供することができる。
【００１５】
また請求項２に記載の発明は、上記ロック装置を、蛇腹状開閉を自在としたシャッター本体を用いた横引シャッターに適用して、同様のロックを可能としたものとするとともに上記昇降機構の作動による昇降ロッドのロックを、押圧突起を配置した縦框と該昇降機構を内蔵した縦框とを一体化して、隣接するパネルを単一パネルとする如くに行うことによって、同じく、その伸張や揺動を防止して上記ロックを安定且つ確実に行うものとした横引シャッターのロック装置を提供することができる。
【００１６】
請求項３に記載の発明は、上記に加えて、上記押圧突起による水平方向の押圧動作を昇降ロッドの昇降動作に変換する昇降機構を可及的簡易な構造にして確実な作動を行うものとすることができる。
【００１７】
請求項４に記載の発明は、同じく上記に加えて、昇降機構の縦框への内蔵を、定位置配置のガイドケースを用いて行うとともに該ガイドケースにおいて上記作動アームの傾斜回動と上記垂直可動部材の垂直昇降を行うことによって、該昇降機構の安定且つ確実な作動を確保したものとすることができる。
【００１８】
請求項５に記載の発明は、同じく上記に加えて、押圧突起による押圧によって作動突起が昇降機構を作動し且つ押圧の解除によって該作動突起が定位置に復帰したものとすることができる。
【００１９】
請求項６に記載の発明は、押圧突起の押圧による昇降ロッドの降下に際して、その下枠への対接を緩衝するとともに常に確実な対接を行うものとすることができる。
【発明を実施するための最良の形態】
【００２０】
以下図面の例に従って本発明を更に具体的に説明すれば、Ａは、例えばベランダやウッドデッキに形成したアウトドアスペース兼用のサンルームの如き、構築物の開口に好適に設置し得るようにしたアルミ製の横引シャッター、Ｂはそのロック装置であり、該横引シャッターＡは、同幅一対のパネル２１をその隣接する縦框２３を相互にヒンジ連結して伸張折畳み自在としたシャッター単位２を形成し、該シャッター単位２の非連結側の各縦框２３をそれぞれ開口枠の上下枠１ａ、１ｂ間に上吊支持して各シャッター単位２の単独開閉を自在としたものとしてあり、またそのロック装置Ｂは、該横引シャッターＡの全部又は一部のシャッター単位２の上記上吊支持側一方の縦框２３の室内側見付面に突出配置した押圧突起３２と、上吊支持側他方の縦框２３に内蔵して、該縦框２３の透孔を介してその室内側見付面に突出配置した作動突起３１３ａに対する上記押圧突起３２の水平方向の押圧とその解除によって該上吊支持側他方の縦框２３を下枠１ｂにロックする昇降ロッド３１１を垂直方向に昇降自在とした昇降機構３１と、該昇降機構３１内蔵の縦框２３の室内側見付面に、上記押圧突起３２による作動突起３１３ａの押圧状態を維持するように該押圧突起３２を該室内側見付面に保持する押圧保持部材３３を備えたものとしてある。
【００２１】
即ち本例の横引シャッターＡにおけるシャッター単位２は、それぞれアルミ押出材による上下の横框２２と左右の縦框２３によって縦長矩形に框組みして、該框組み内にガラス、合成樹脂等の透明板乃至半透明板を装着した一対のパネル２１を、その隣接する各片側の縦框２３、即ち脱出側の縦框２３を上下複数箇所に配置したヒンジ２４によって直接に連結することによって、パネルの直列の伸張と、Ｖ字重合状の折畳みを自在としたものとしてある。該シャッター単位２は、その各パネルの非連結側縦框２３に、上端において上吊ローラー２５を、下端に振止ローラー２６をそれぞれ配置してあり、該上吊ローラー２５と振止ローラー２６によって、それぞれ開口枠の上下枠１ａ、１ｂにその長手方向走行自在に上吊支持して、その開閉を行うものとしてある。
【００２２】
開口枠は、シャッター単位２の上吊支持用にそれぞれガイドレールを配置した上下の横枠１ａ、１ｂと幅方向両端の縦枠を備えたものとしてあり、本例にあって該開口枠は、その上下の横枠１ａ、１ｂをサンルームの正面と両側面に亘るように平面Ｕ字状に配置し、その側面の建物側端部に各縦枠を配置したものとしてある。このとき該上下の横枠１ａ、１ｂは、これらのガイドレールを一連に連続するように１／４円のローラー通過レールを備えたコーナー連結部材１１を介設することによって、正面と側面とのコーナーを直交して配置したものとしてあり、上記シャッター単位２は、その直列の伸張によって該平面Ｕ字状の開口を閉鎖するように正面と側面にそれぞれ所定枚数のものを上吊支持してある。シャッター単位２は、上記同幅一対のパネル２１をヒンジ２４連結して、その非連結側縦框２３、即ちシャッター単位２の幅方向両端に位置する縦框２３においてその上吊支持を行うことによって、そのシャッター単位２毎の単独開閉を可能としてあり、これによって該横引シャッターＡは、平面Ｕ字状のうちの任意位置で任意枚数の折畳みを行なって、人の出入や通風を行うようにすることができるようにしてある。また、このとき該シャッター単位２の上記上吊ローラー２５及び振止ローラー２６は、図３に示すように、これらをそれぞれ縦框２３に対して水平に軸支して配置したものとしてあるから、該シャッター単位２は、これを伸張した状態として、上記コーナーに向けて、例えば手送りすれば、図５に示すように、進行方向先端の上吊ローラー２５及び振止ローラー２６が、コーナー連結部材１１のローラー通過レールを通過して、直交する一方の横枠のガイドレールから、他方の横枠のガイドレールに進行してこれら横枠間に架設状に位置するようになった後に、更に進行方向後端の上吊ローラー２５及び振止ローラー２６が同様にコーナー連結部材１１を通過して、他方の横枠のガイドレールに順次進行することができ、これによって本例の横引シャッターＡは、上記任意位置における任意枚数の開閉の他に、例えば片側の側面を折畳み収納の戸袋部位とするように、シャッター単位２を集合してその折畳みを行うことによって複数開口面、本例にあっては上記平面Ｕ字状三面の開口をフルオープンするようにその開閉を行うことを可能としてある。図中１２は、同じく上吊ローラー２５と振止ローラー２６によってガイドレール長手方向に移動自在にして、シャッター単位２を閉鎖したときにコーナーにおいて方向を異にするシャッター単位２の非連結側縦框２３間を塞ぐように配置したコーナー框１２を示す。
【００２３】
本例にあって上記押圧突起３２と昇降機構３１と押圧保持部材３３を備えたロック装置Ｂは、例えばシャッター単位２の折畳み動作に連動して又は折畳み後に対面する上吊支持した双方の縦框２３を、例えば指先で圧接するようにすることによってその作動を行って、その一方の昇降機構３１を内蔵した縦框２３から昇降ロッド３１１を降下してこれを下枠１ｂに対接することによって該縦框２３を下枠１ｂにロックするようにしてあり、本例にあって該ロックは後者の折畳み後の圧接動作によりこれを行うものとしてあり、このため本例のロック機構Ｂは、上記昇降機構３１内蔵の縦框２３の室内側見付面に、上記押圧突起３２による作動突起３１３ａの押圧状態を維持するように該押圧突起３２を該室内側見付面に保持する上記押圧保持部材３３によって、押圧突起３２を配置した縦框２３と該昇降機構３１を内蔵した縦框２３とを一体化して、折畳んだシャッター単位２を単一パネルとする如くに保持して、下枠１ｂ、本例にあっては該下枠１ｂの上記振止ローラー２６と干渉しない、特に上方室内側の突片に対してロックすることによって、その伸張や揺動を防止して、該ロックを安定且つ確実に行うものとしてある。このとき本例のシャッター単位２の伸張は、上記圧接動作と逆に、該一体化した縦框２３を、例えば指先で押し広げる拡開動作により、これを行なうものとしてある。
【００２４】
本例にあって上記ロック装置Ｂの押圧突起３２は、例えばプレート状上下の縦框固定片を備えた框対接部品に、該縦框固定片間に室内側に向けて、例えば断面方形乃至矩形をなす小ブロック状に一体に突出したものとしてあり、本例にあっては該框対接部品に突出台座を配置し、該突出台座から室内側に向けて突出したものとしてある。このとき該押圧突起の下面には、係合溝又は係合突起の如き一方の係合部３２１を形成し、該係合部３２１を、昇降機構を内蔵した縦框２３に配置した、上記透孔３３１の切断縁を被覆するキャップを兼用する押圧保持部材３３に設置した、上記と逆の、例えば係合突起又は係合溝の如き他方の係合部に係合することによって、その上記縦框２３の一体化を行なうようにしてある。即ち、本例にあってキャップ兼用の押圧保持部材３３は、例えば上記押圧突起３２の框対接部品における縦框固定片より幅広の縦框固定片と、該縦框固定片から室内側に向けて突出して内部に上記縦框２３に配置した透孔と連通して、作動突起３１３ａを突出配置するとともに該作動突起３１３ａを押圧することによってその没入に応じて進行する押圧突起３２を受入れ自在とした連通孔３３１を有する突出連通部と、該突出連通部の連通孔３３１の下位に、上向きに付勢して配置した突没部材３３３とを備えたものとしてあり、上記押圧突起３２が作動突起３１３ａを押圧して該連通孔３３１に進入することによってその突没部材３３３位置に至ったときに該突没部材３３３を弾発的に上下方向に作動し、双方の係合部の係合とこれによる押圧突起３２の保持を自在としてある。本例にあって上記押圧突起３２の係合部３２１は、これを係合溝とし、突没部材３３３の係合部を係合突起とし、押圧突起３２の進入によって、突没部材３３３を弾発的に押下げて進行し、係合溝が係合突起位置に至ったときに突没部材３３３が付勢力によって復帰して上向きに突出することによってその係合を行なうようにしてある。
【００２５】
一方上記昇降機構３１は、これを、先端に上記作動突起３１３ａを屈曲して有する傾斜回動用の作動アーム３１３と、該作動アーム３１３の後端に回動自在に連結して該作動アーム３１３の傾斜回動によって昇降自在に配置してその幅方向一端にロッドホルダー３１５を備えた垂直可動部材３１４と、その上記ロッドホルダー３１５に下向きに配置した単一又は複数分割の昇降ロッド３１１を備えて形成したものとしてあり、このとき、本例にあって該昇降機構３１が、室内側見付面の透孔近傍位置ら縦框２３内側下方に向けた傾斜ガイド３１７を備えた上位の回動用収納部及びその下位の縦框２３上下方向に向けた垂直ガイドを備えた下位の垂直昇降用収容部とを具備した縦框２３内定位置配置のガイドケース３１６を備え、作動アーム３１３に室内側見付面直交方向に突出したガイド突起３１３ｂを上記傾斜ガイド３１７によって案内することにより上記上位の回動用収容部に該作動アーム３１３を傾斜回動自在に収容し且つ上記垂直可動部材３１４の同じく室内側見付面直交方向に突出したガイド突起又はガイド突条を上記垂直ガイドによって案内することによって上記垂直昇降用収容部に該垂直可動部材３１４を収容したものとしてあり、本例の該垂直昇降用収容部に対する垂直可動部材３１４の収容は、これを、該垂直可動部材３１４を上方に向けて付勢して行ったものとし、また上記垂直可動部材３１４におけるロッドホルダー３１５に対する上記昇降ロッド３１１の保持を、該昇降ロッド３１１を下方に向けて付勢して行ったものとしてある。
【００２６】
即ち本例の昇降機構３１は、上記ガイドケース３１６と、作動アーム３１３と、垂直可動部材３１４と、昇降ロッド３１１とを備えて形成したものとしてあり、ガイドケース３１６は、縦框２３中空部の厚さ内に納まる幅の縦長基板と、該縦長基板の幅方向両端に、上方においてその見付面に平行に翼状に張出突設した一対の対向壁面と、下方において同じく該縦長基板の幅方向両端に帯状に平行に突出し、後述の圧縮バネ３５を下端に収容可能とした一対の対向起立壁とを備えるとともに、上記対向壁面における縦框２３の透孔近傍位置から、例えば４５度の角度に下向きに傾斜配置した、本例にあって該壁面を貫通する所定長さの細溝の傾斜ガイド３１７を、対向起立壁の上下中間位置両側に、該対向起立壁を部分的に透設して上下一対のガイド溝を配置した一体成形の成形部品とし、上記傾斜ガイド３１７を配置した対向壁面間のスペースを上記作動アームの回動用収容部とし、対向起立壁間のスペースを上記垂直可動部材３１４の垂直昇降用収容部としてあり、このとき該垂直昇降用収容部にはその下部に圧縮バネ３５を収容してある。
【００２７】
作動アーム３１３は、該ガイドケース３１６の回動用収納部のスペース幅に応じて該回動用収納部において回動可能とした長さの、例えば直線バーと先端を屈曲した作動突起３１３ａによる側面へ字状をなす成形部品とし、その直線バーの先端に上記屈曲した作動突起３１３ａを、後端に垂直可動部材３１４の上端との連結用の、例えば長手方向に突出した回動軸をそれぞれ一体に備えたものとする一方、直線バーの上記屈曲突起の屈曲位置近傍に、上記ガイドケース３１６の傾斜ガイド３１７にそれぞれ係合する、例えば金属製ピンによるガイド突起３１３ｂを見付面直交方向両側に突出配置したものとしてある。
【００２８】
垂直可動部材３１４は、同じくガイドケース３１６の垂直昇降用収容部のスペース幅に応じて該垂直昇降用収容部において垂直昇降可能とした昇降基部と、該昇降基部から上記回動用収容部と同じ突出方向に向けて突出したロッドホルダー３１５を備えた一体の成形部品とし、昇降基部の幅方向両側には上記ガイドケース３１６の上下一対のガイド溝にそれぞれ係合する上下に離隔した、それぞれ上下に一対のガイド突起、本例にあっては一体のピンを突出し且つその上端に上記作動アーム３１３の回動軸を回動自在に受け入れる軸受を備えたものとし、上記ロッドホルダー３１５は、後述のロッド、本例にあってはその複数分割した上位ロッドの径に応じた内径にして上下端を径小化した垂直筒部を備えるとともに該垂直筒部に圧縮バネ３５を収容して下方に付勢したものとしてある。
【００２９】
昇降ロッド３１１は、上記上位ロッドと、該上位ロッドの下端に連結支持した下位ロッドの２分割のものとしてあり、上位ロッドを上記ロッドホルダー３１５の垂直筒部に嵌挿して上記圧縮バネ３５によってこれを下方に付勢したものとしてあり、また下位ロッドは、該上位ロッド位置から下枠近傍位置までの長さを有し、本例にあってその下端にゴム乃至合成樹脂製のクッション材を設置したものとしてある。
【００３０】
このように形成したガイドケース３１６、作動アーム３１３、垂直可動部材３１４、昇降ロッド３１１を備えた昇降機構３１は、作動アーム３１３先端の押圧突起３２を、縦框２３の透孔、本例にあってはキャップ兼用の上記押圧保持部材３３の連通孔３３１から突出するようにして作動アーム３１３を配置して、その縦框２３への内蔵を行なったものとしてある。即ち昇降機構３１は、そのガイドケース３１６における回動用収納部に配置した傾斜ガイド３１７にガイド突起３１３ｂ、本例にあっては金属製ピンを係合し、作動アーム３１３が該傾斜ガイド３１７の案内によって該回動用収納部の対向壁間で傾斜回動してその後端を上下動自在とする一方、その後端に配置した回動軸を、垂直可動部材３１４の軸受に回動自在に軸支することによって、作動アーム３１３に該垂直可動部材３１４を垂直昇降自在に連結してある。該垂直可動部材３１４は、その上下に離隔配置したガイド突起を、対向起立壁の上下一対のガイド溝にそれぞれ係合して、上記ガイドケース３１６内の垂直昇降用収容部に配置して、上記作動アーム３１３の傾斜回動に伴う回動軸の上下動に応じて垂直昇降用収容部において垂直昇降するようにしてあり、このとき垂直昇降用収容部に収容した垂直可動部材３１４は、該収容部下位の圧縮バネ３５によって上向きに付勢されることによって、その上端の軸受によって後端を軸支した作動アーム３１３を上方に持上げるように付勢する結果、該作動アーム３１３の先端の作動突起３１３ａは、縦框２３の透孔、本例にあっては押圧保持部材３３の連通孔３３１から突出方向に付勢され、該作動突起３１３ａが常時定位置に復帰状態となるようにしてある。また垂直可動部材３１４に一体のロッドホルダー３１５は、本例にあってはその上位ロッドを収容して下位ロッドを連結支持しているところ、ロッドホルダー３１５における垂直筒部の圧縮バネ３５によって下方に付勢されるから、下位ロッド、本例にあってはその下端のクッション材による下枠１ｂへの対接を圧縮バネ３５の緩衝状態によって行なうとともに下枠１ｂに対して圧接することによって安定したロックを行なうものとしてある。
【００３１】
図中２７は、各パネルの縦框に設置したその長手方向全長の気密材を示す。
【００３２】
以上のように押圧突起３２と、該押圧突起３２が押圧する作動突起３１３ａを有する昇降機構３１とによるロック装置Ｂを備えることによって、シャッター単位２は、その開成のための折畳みを行なったとき、本例にあっては同幅一対のパネル２１が重合した状態に一体化して、下枠１ｂに対してロックした状態となって、風圧等による揺動を防止し、安定した折畳み状態を維持して人の出入りや通風を可能として、横引きシャッターとしての使い勝手を向上することができるとともにロックは、押圧突起３２が作動突起３１３ａを押圧することによって行なうから、縦框２３の一方から押圧部材が大きく突出することなく、ロック作動のために必要な部材の縦框２３からの突出幅を２つの部材によって分担することができ、従って縦框２３からの押圧突起３２乃至作動突起３１３ａの突出幅を縮小して、該ロック装置Ｂを配置したことにより横引きシャッターＡ乃至そのシャッター単位２の内観を損なうことがなく、また突出幅が縮小する上、押圧突起３２はこれを断面方形乃至矩形をなすものとしたから、該押圧突起３２の突出配置による危険性を可及的に解消することができる。
【００３３】
図示した例は以上のとおりとしたが、横引きシャッターを、同幅多数のパネルの隣接する縦框を順次ヒンジ連結して折畳み自在としたシャッター本体を形成し、該シャッター本体の幅方向端部及びこれから一つ置きの縦框をそれぞれ開口枠の上下枠間に上吊支持してシャッター本体の蛇腹状開閉を自在として形成し、該シャッター本体の全部又は一部の隣接するパネルの上記上吊支持側一方の縦框の室内側見付面に突出配置した押圧突起と、シャッター本体の折畳みによって対面する同じく上吊支持側他方の縦框に内蔵して該縦框の透孔を介してその室内側見付面に突出配置した作動突起に対する上記押圧突起の水平方向の押圧とその解除によって該上吊支持側他方の縦框を下枠にロックする昇降ロッドを垂直方向に昇降自在とした昇降機構と、該昇降機構内蔵の縦框の室内側見付面に、上記押圧突起による作動突起の押圧状態を維持するように該押圧突起を該室内側見付面に保持する押圧保持部材を備えることによって、そのロック装置を構成すること、昇降ロッドを単一構成のものとすること、作動突起の押圧保持部材を配置するとき、上記キャップとは別部材として、該別部材が、上記キャップを貫通して作動突起を係合保持するものとすること、この場合を含めて作動突起の保持を、上記上下方向の係合保持に代えて、水平方向の係合保持によるものとし、また作動突起の係合保持を、非連結側の縦框において、指先等の操作によって係合保持とその解除を行なうようにしたものとすること等を含めて、本発明に実施に当って、横引きシャッター、シャッター単位、シャッター本体、押圧突起、作動突起、昇降機構、ロッド、押圧保持部材、必要に応じて用いるガイドケース、垂直可動部材、作動アーム、ロッドホルダー等の各具体的形状、構造、材質、これらの関係、これらに対する付加等は、上記発明の要旨に反しない限り様々な形態のものとすることができる。
【図面の簡単な説明】
【００３４】
【図１】サンルームの正面図である。
【図２】サンルームの側面図である。
【図３】シャッター単位と上下枠の関係を示す縦断面図である。
【図４】下枠の平面図である。
【図５】上下枠とシャッター単位のコーナー通過の状態を示す横断面図である。
【図６】ロック装置のロック解除状態を示す縦断面図である。
【図７】図６の一部拡大図である。
【図８】ロック装置のロック状態を示す縦断面図である。
【図９】図８の一部拡大図である。
【図１０】ロック装置の分解図である。
【符号の説明】
【００３５】
Ａ  横引シャッター
１ａ  上枠
１ｂ  下枠
１１  コーナー連結部材
１２  コーナー框
２  シャッター単位
２１  パネル
２２  横框
２３  縦框
２４  ヒンジ
２５  上吊ローラー
２６  振止ローラー
２７  気密材
Ｂ  ロック装置
３１  昇降機構
３１１  昇降ロッド
３１２  クッション材
３１３  作動アーム
３１３ａ  作動突起
３１３ｂ  ガイド突起
３１４  垂直可動部材
３１５  ロッドホルダー
３１６  ガイドケース
３１７  傾斜ガイド
３２  押圧突起
３２１  係合部
３３  押圧保持部材
３３１  連通孔
３３２  突出部
３３３  突没部材
３４  縦框固定片
３５  圧縮バネ
４  サンルーム
４１  支柱
４２  屋根
【図１】
0005282281.tif 000002
【図２】
0005282281.tif 000003
【図３】
0005282281.tif 000004
【図４】
0005282281.tif 000005
【図５】
0005282281.tif 000006
【図６】
0005282281.tif 000007
【図７】
0005282281.tif 000008
【図８】
0005282281.tif 000009
【図９】
0005282281.tif 000010
【図１０】
0005282281.tif 000011